(57)【要約】      （修正有）【課題】本発明は、車両や建造物の壁面に固定され、作業員の安全と利便性を向上させた簡便な構造の壁面昇降用ステップ用具の提供を課題とする。【解決手段】車両、建造物等の壁面に上下に多数個が取着されて作業員の壁面昇降に利用される壁面昇降用ステップ用具であって、前記ステップ用具を前記壁面に固定するための固定台座１０と、該固定台座１０に起伏回動自在に枢着されたステップ部材２０とからなり、該ステップ部材２０は、内側に大開口部を有する方形フレーム状のステップ板２１からなり、かつ、その後方部には前記固定台座１０に枢着される枢支部２２を有し、その前方部のフレームにはその内側縁部に複数の波形切欠部２５を形成してなることを特徴とする壁面昇降用ステップ用具による。【選択図】図１
2017179983.tif 000002
【特許請求の範囲】
【請求項１】
車両、建造物等の壁面に上下に多数個が取着されて作業員の壁面昇降に利用される壁面昇降用ステップ用具であって、
前記ステップ用具を前記壁面に固定するための固定台座と、該固定台座に起伏回動自在に枢着されたステップ部材とからなり、
該ステップ部材は、内側に大開口部を有する方形フレーム状のステップ板からなり、かつ、その後方部には前記固定台座に枢着される枢支部を有し、その前方部のフレームにはその内側縁部に複数の波形切欠部を形成してなることを特徴とする壁面昇降用ステップ用具。
【請求項２】
前記複数の波形切欠部が４個であることを特徴とする請求項１に記載の壁面昇降用ステップ用具。
【請求項３】
前記ステップ部材が、その枢支部の後端部を前記固定台座に配設された板バネに当接するようにして固定台座に枢着され、その起伏回動による起立時には前記板バネを撓曲することなく、伏臥時には前記板バネを後方に撓曲させて前記ステップ部材の軸部を固定台座の軸受けに押圧して保持されるよう形成されてなることを特徴とする請求項１又は２に記載の壁面昇降用ステップ用具。
【請求項４】
前記ステップ部材を起立状態にした時、前記ステップ板内側の大開口部が、前記固定台座上端より高い位置に存在するよう形成されてなることを特徴とする請求項１〜３のいずれか１項に記載の壁面頭昇降用ステップ用具。
【発明の詳細な説明】
【技術分野】
【０００１】
本発明は、車両、建造物等の壁面に上下に多数個が取着されて作業員の壁面昇降に利用される壁面昇降用ステップ用具に係り、特に壁面に固定する固定台座に起伏回動自在に枢着されたステップ部材が、起、伏の両位置で確実に保持される安全性と、作業員昇降時の手掛かりとしての利便性をも備えた壁面昇降用ステップ用具に関する。
【背景技術】
【０００２】
車両の壁面に取着された壁面昇降用ステップ具としては、鉄道車両の連結部の壁面に設けられたものや、消防車両に備えられたものをよく見かけるが、開示されている発明としては、特許文献１の請求項３に、
「屋根上昇降ステップを、車端側外板寄りに配置し、該部品の表面は走行時に側外板と平滑状態に組込されたことを特徴とする高速車輌の車間接続装置」との記載がある。しかしこの発明におけるステップは、明細書の段落「００２５」の記述と「図５」「図７」とから、「車端の車体に垂直方向に設けられた複数のステップ穴に、リンクとロッドによって上下方向に回動自在な蓋が設けられ、車輌下部の取手を引けばステップ穴が開放し、走行時は蓋が閉じるというもので、高速車輌の走行時の騒音軽減を目的とした発明の一部をなすもので、作業員の壁面昇降時の利便性を求めた本発明の目的とは異なるものである。
一方建築分野で使用される昇降用ステップ用具の発明としては、特許文献２の、
「一端部に握持部を形成した足掛体の他端に仮設用パイプなどの被止着管体に抱持止着するクランプ部材を付設したことを特徴とする建築用登降装置」や、
特許文献３の、
「壁体や柱体などの被止体に止着する止着体と、この止着体に係止する足掛体とより成るものであって、止着体の板面を膨出させて被止着の表面との間に所定の係止間隔を介在せしめた係止条を形成し、一方足掛体の被止着体側に垂設した係止板に前記係止間隔に挿入契合する係合挿入部を設け、この係合挿入部の基部に前記係止条上縁に係止する当接係止縁を形成し、係合挿入部の巾を、前記止着板の係止着体の表面との係止間隔にほぼ合致させた巾に形成したことを特徴とする建築用登降装置」
等が開示されているが、いずれも建築作業時に鉄骨等に設置される登降装置であり、コンクリート打設時には鉄骨から撤去されることを前提としたものであり、本願発明の車両や建築物の壁面に固定、常備して使用するには構造が複雑過ぎ、また起伏回動自在にはなっていないという問題もある。
【先行技術文献】
【特許文献】
【０００３】
【特許文献１】特開平６−２７０８０２号公報
【特許文献２】実開平６−７４７４１号公報
【特許文献３】特開平５−２３９９１３号公報
【発明の概要】
【発明が解決しようとする課題】
【０００４】
本発明は上記背景技術の状況に鑑みてなされたものであって、車両や建造物の壁面に固定され、作業員の安全と利便性を向上させた簡便な構造の壁面昇降用ステップ用具の提供を目的とする。
【課題を解決するための手段】
【０００５】
本発明者は上記課題を下記の手段により解決した。
（１）車両、建造物等の壁面に上下に多数個が取着されて作業員の壁面昇降に利用される壁面昇降用ステップ用具であって、
前記ステップ用具を前記壁面に固定するための固定台座と、該固定台座に起伏回動自在に枢着されたステップ部材とからなり、
該ステップ部材は、内側に大開口部を有する方形フレーム状のステップ板からなり、かつ、その後方部には前記固定台座に枢着される枢支部を有し、その前方部のフレームにはその内側縁部に複数の波形切欠部を形成してなることを特徴とする壁面昇降用ステップ用具。
（２）前記複数の波形切欠部が４個であることを特徴とする（１）に記載の壁面昇降用ステップ用具。
（３）前記ステップ部材が、その枢支部の後端部を前記固定台座に配設された板バネに当接するようにして固定台座に枢着され、その起伏回動による起立時には前記板バネを撓曲することなく、伏臥時には前記板バネを後方に撓曲させて前記ステップ部材の軸部を固定台座の軸受けに押圧して保持されるよう形成されてなることを特徴とする（１）又は（２）に記載の壁面昇降用ステップ用具。
（３）前記ステップ部材を起立状態にした時、前記ステップ板内側の大開口部が、前記固定台座上端より高い位置に存在するよう形成されてなることを特徴とする（１）〜（３）のいずれか１項にに記載の壁面頭昇降用ステップ用具。
【発明の効果】
【０００６】
本発明の壁面昇降用ステップ用具によって、下記の効果が発揮される。
〈１〉車両、建造物等の壁面に上下に多数個が取着されて作業員の壁面昇降に利用される壁面昇降用ステップ用具であって、
前記ステップ用具を前記壁面に固定するための固定台座と、該固定台座に起伏回動自在に枢着されたステップ部材とからなり、
該ステップ部材は、内側に大開口部を有する方形フレーム状のステップ板からなり、かつ、その後方部には前記固定台座に枢着される枢支部を有し、その前方部のフレームにはその内側縁部に複数の波形切欠部を形成しているので、
前記ステップ部材を起立位置に回動しておけば、不要な壁面昇降が禁止でき、昇降作業を必要とする際には、起立したステップ部材を、壁面下方に配設されたものから順次そのステップ板の大開口部に手を掛けて伏臥位置に回動して昇ればよく、さらに前記ステップ板のフレーム内側縁部に形成された複数の波形切欠部によって、フレーム縁部への指掛かりが安定し、把持しやすいことから、前記ステップ部材の起伏回動操作時における片手両足による３点確保が安全確実に行え、簡便で安全な壁面昇降用ステップ用具が提供できる。
〈２〉前記ステップ部材が、その枢支部の後端部を前記固定台座に配設された板バネに当接するようにして固定台座に枢着され、その起伏回動による起立時には前記板バネを撓曲することなく、伏臥時には前記板バネを後方に撓曲させて前記ステップ部材の軸部を固定台座の軸受けに押圧して保持されるよう形成されているので、
前記ステップ部材の回動位置が起立と伏臥とのいずれか一方に限定され、かつ、伏臥位置では前記ステップ部材は、前記枢支部の後端部が前記板バネの撓曲による押圧によって安定に保持されることから、安全性の高い起伏回動自在な壁面昇降用ステップ用具が提供できる。
〈３〉前記ステップ部材を起立状態にした時、前記ステップ板内側の大開口部の大部分が、前記固定台座前面上端より高い位置に存在するよう形成されているので、
起立状態のステップ部材の大開口部内側縁部に指が掛けやすく、前記起立したステップ部材を下方から順次伏臥位置に回動しながら壁面を安全に登ることができる。
【図面の簡単な説明】
【０００７】
【図１】本発明の壁面昇降用ステップ用具を構成する各部材の斜視図
【図２】本発明の壁面昇降用ステップ用具を車両側壁面に取着した実施例の概要図
【図３】本発明の壁面昇降用ステップ用具の横断面図
【図４】本発明の壁面昇降用ステップ用具を把持した状態を示す説明図
【発明を実施するための形態】
【０００８】
本発明の壁面昇降用ステップ用具を実施するための形態を、実施例の図に基づいて説明する。
図１は本発明の壁面昇降用ステップ用具を構成する各部材の斜視図、図２は本発明の壁面昇降用ステップ用具を車両側壁面に取着した実施例の概要図、図３は本発明の壁面昇降用ステップ用具の横断面図であり、（ａ）はステップ部材が伏臥して作業員が壁面を昇降可能な状態にある場合を、（ｂ）はステップ部材が起立して昇降できない状態にある場合を示し、そして図４は本発明の壁面昇降用ステップ用具を把持した状態を示す説明図である。
図において１は壁面昇降用ステップ用具、２は車両、１０は固定台座、１１は固定台座に設けられたステップ部材取付用軸受け、１２は板バネ取付溝、１３は壁面取付用ねじ孔、２０はステップ部材、２１はステップ板、２２はステップ部材を前記固定台座１０に枢着する枢支部、２３は前記固定台座１０のステップ部材取付用軸受け１１に枢着される回動軸、２４はステップ板２１の内側の開口部、２５は前記開口部２４の縁部に形成された波形切欠部、３０は板バネ、４０は後板を示す。
【０００９】
本発明の壁面昇降用ステップ用具１は、図２の車両の側壁面に取着した実施例の概要図に示すように、車両２や建造物等の壁面に上下に多数個が取着されて作業員の壁面昇降に利用されるものであって、図１に示すように、壁面昇降用ステップ用具１を車両２や建造物等の壁面に固定するための固定台座１０と、該固定台座１０に起伏回動自在に枢着されたステップ部材２０とからなり、該ステップ部材２０は、内側に大開口部２４を有する方形フレーム状のステップ板２１と、前記ステップ板の２１の後方部に設けられ前記固定台座１０に枢着される枢支部２２とを有してなり、かつ、フレーム状のステップ板２１の内側の大開口部２４の縁部に複数の波形切欠部２５が形成されている。
前記波形切欠部２５は、作業員が壁面昇降用ステップ具１を使用して車両２や建造物等の壁面を昇降する際に把持しやすくするためのものであって、図１に示した実施例では、大開口部２４の内側に４個の波形切欠部２４が形成されており、図４に示すように、前記大開口部２４にステップ板の上方から挿入する親指を除く４本の指が各切欠部２４にそれそれぞれ当接し、ステップ板２１の下方から当接する親指とで確実に容易に把持できる形状となっている。
そして、図３（ｂ）に示すように、前記ステップ部材２０を起立状態にした時、前記ステップ板２１内側の大開口部２４が、前記固定台座１０の上端より高い位置に存在するよう形成され、かつ前記起立状態のステップ部材２０と壁面間に指を差し入れるに必要十分なスペースが確保されように前記固定台座１０の厚みが設定されているので、ステップ部材２０を起立位置から伏臥位置に回動させようとする場合に、前記ステップ板２１の大開口部２４に指が掛けやすく、回動操作のしやすいものとなっている。
さらに、ステップ板２１の上面は細かな凹凸面構造として足を掛けたときの滑り止め効果を高めている。
【００１０】
また、前記枢支部２２の後端部は、図３に見られるように、前記固定台座１０の上下２箇所に設けられた板バネ取付溝１２にその両端を固定して配設された板バネ３０に当接するようにして、前記枢支部の左右側面に突設された回動軸体２３を、前記固定台座１０に形成されたステップ部材取付用軸受け１１に起伏回動自在に枢着されている。
そして前記枢支部２２の後端部は、図３（ａ）に示すように、前記ステップ部材２０を伏臥して昇降可能な状態としたときには板バネ３０の中央部を後方に撓曲させ、図３（ｂ）に示すように、前記ステップ部材２０起立させて昇降不能の状態にした時には、前記板バネ３０を撓曲することのない断面形状に形成されている。したがって、前記ステップ部材２０は起伏いずれか一方の位置でのみ固定するので、本壁面昇降用ステップ用具１の操作は極めて容易であり、操作結果は極めて安定して保持されるものとなっている。
なお、図１に示した実施例においては、板バネ３０を２枚重ねで使用し、該板バネ３０の撓曲によるステップ部材２０への押圧力を高めてより安定した動作となるように考慮してある。
【符号の説明】
【００１１】
１：壁面昇降用ステップ用具
２：車両
１０：固定台座
１１：ステップ部材取付用軸受け
１２：バネ取付溝
１３：壁面取付用ねじ孔
２０：ステップ部材
２１：ステップ板
２２：枢支部
２３：軸部
２４：開口部
２５：波形切欠部
３０：板バネ
４０：後板
【図１】
2017179983.tif 000003
【図２】
2017179983.tif 000004
【図３】
2017179983.tif 000005
【図４】
2017179983.tif 000006